(57)【特許請求の範囲】
【請求項１】
表面に媒体に転写される可視像を保持する像保持体と、
前記像保持体に対向して配置されて前記像保持体と対向する転写領域を通過する媒体に前記像保持体の可視像を転写する転写部材と、前記転写部材に対して前記媒体の搬送方向の下流側に配置された支持部材と、前記転写部材と前記支持部材との間に張架されて表面に前記媒体を保持して媒体搬送方向の下流側に搬送する無端帯状の転写搬送部材と、を有する転写搬送装置と、
前記転写搬送部材に対して前記媒体の搬送方向の下流側に配置されて、未定着の可視像が転写された媒体を表面に吸着した状態で保持して下流側に搬送する無端状の帯状搬送部材を有する下流側の搬送装置と、
前記転写搬送部材と前記帯状搬送部材との間に配置されて、通過する媒体の除電を行う除電部材と、
前記除電部材の上端よりも上方に配置された案内面を有し、前記転写搬送部材よりも媒体搬送方向の下流側且つ重力方向の下方に配置された案内部材であって、前記転写搬送部材から送られた媒体の搬送方向の前端から後部に渡って非接触、且つ、媒体の搬送方向の後端部に接触して媒体を案内する前記案内部材と、
前記下流側の搬送装置に対して前記媒体の搬送方向の下流側に配置されて、前記媒体表面の未定着の可視像を定着させる定着装置と、
を備えたことを特徴とする画像形成装置。
【請求項２】
弾性ベルトにより構成された前記無端状の転写搬送部材、
を備えたことを特徴とする請求項１に記載の画像形成装置。
【請求項３】
先端が前記媒体に対向して配置された鋸歯形状の前記除電部材、
を備えたことを特徴とする請求項１または２に記載の画像形成装置。
【請求項４】
複数の導電性の毛を有する刷毛状の前記除電部材、
を備えたことを特徴とする請求項１ないし３のいずれかに記載の画像形成装置。
【請求項５】
接地された前記除電部材、
を備えたことを特徴とする請求項１ないし４のいずれかに記載の画像形成装置。
【請求項６】
前記媒体を除電させる除電用の電圧が印加された前記除電部材、
を備えたことを特徴とする請求項１ないし５のいずれかに記載の画像形成装置。
【請求項７】
表面に媒体に転写される可視像を保持する像保持体と、
前記像保持体に対向して配置されて前記像保持体と対向する転写領域を通過する媒体に前記像保持体の可視像を転写する転写部材と、前記転写部材に対して前記媒体の搬送方向の下流側に配置された支持部材と、前記転写部材と前記支持部材との間に張架されて表面に前記媒体を保持して媒体搬送方向の下流側に搬送する無端帯状の転写搬送部材と、を有する転写搬送装置と、
前記転写搬送部材に対して前記媒体の搬送方向の下流側に配置されて、未定着の可視像が転写された媒体を表面に保持して下流側に搬送する無端状の帯状搬送部材を有する下流側の搬送装置と、
前記転写搬送部材と前記帯状搬送部材との間に配置されて、通過する媒体の除電を行う除電部材と、
前記除電部材の上端よりも上方に配置された第１の案内面を有し、前記除電部材と前記転写搬送部材との間に配置されて、前記転写搬送部材から送られた媒体の下面を案内可能な第１の案内部材と、
前記第１の案内面よりも下方且つ前記帯状搬送部材の上流端の高さよりも上方に配置された第２の案内面を有し、前記除電部材と前記帯状搬送部材との間且つ前記第１の案内部材よりも媒体の搬送方向の下流側に配置されて、媒体の下面を案内可能な第２の案内部材と、
前記下流側の搬送装置に対して前記媒体の搬送方向の下流側に配置されて、前記媒体表面の未定着の可視像を定着させる定着装置と、
を備えたことを特徴とする画像形成装置。
【請求項８】
前記除電部材の前記媒体側の先端が、前記第１の案内面と同一または媒体から離れる側の位置に配置されたことを特徴とする請求項７に記載の画像形成装置。
【請求項９】
前記転写搬送装置と前記下流側の搬送装置との間に跨った媒体の位置に対して、前記除電部材の前記媒体側の先端および前記第１の案内面が、同一または離れた位置に配置されたことを特徴とする請求項７または８に記載の画像形成装置。
【請求項１０】
前記転写搬送部材が媒体を搬送する速度に比べて、媒体の搬送速度が高速に設定された前記帯状搬送部材、
を備えたことを特徴とする請求項１ないし９のいずれかに記載の画像形成装置。
【請求項１１】
前記媒体の搬送方向に沿って配置された複数の前記帯状搬送部材を有する前記下流側の搬送装置と、
前記複数の帯状搬送部材どうしの間に配置されて、通過する媒体の除電を行う第２の除電部材と、
を備えたことを特徴とする請求項１ないし１０のいずれかに記載の画像形成装置。
【請求項１２】
前記複数の帯状搬送部材の中で、媒体搬送方向の最上流に配置された帯状搬送部材の媒体の搬送速度が、前記転写搬送部材の媒体の搬送速度以上に設定され、且つ、
前記複数の帯状搬送部材の中で、媒体搬送方向の最下流に配置された帯状搬送部材の媒体の搬送速度が、前記転写搬送部材の媒体の搬送速度以下に設定された
ことを特徴とする請求項１１に記載の画像形成装置。
【請求項１３】
前記複数の帯状搬送部材の中で媒体搬送方向の最上流に配置された帯状搬送部材と、前記転写搬送部材と、の間に配置され、先端が前記媒体に対向して配置された鋸歯形状の前記除電部材と、
前記複数の帯状搬送部材どうしの間に配置され、複数の導電性の毛を有する刷毛状の前記第２の除電部材と、
を備えたことを特徴とする請求項１１または１２に記載の画像形成装置。
【発明の詳細な説明】
【技術分野】
【０００１】
本発明は、画像形成装置に関する。
【背景技術】
【０００２】
従来の画像形成装置において、可視像が媒体に転写される転写領域において、媒体を表面に保持して搬送する無端帯状の部材、いわゆる転写搬送ベルトを使用する構成が知られている。前記転写搬送ベルトを備えた構成において、転写領域を通過する際に帯電した媒体を除電するための技術として、以下の特許文献１〜３記載の技術が従来公知である。
【０００３】
特許文献１としての特許第３８２９９６５号公報には、転写ベルト（２２）の下流側に配置され且つ転写材（Ｐ）をガイドする第１ガイド（４０）と、第１ガイド（４０）の下流側に配置された第２ガイド（４１）と、の間に、除電針または除電ブラシにより構成された除電部材（４２）を配置して、転写材（Ｐ）の除電を行う構成が記載されている。
特許文献２としての特許第３８５０５９７号公報には、転写ベルト（４）の下流側に配置され且つ転写材（１６）をガイドするガイド部材（１８）において、転写材（１６）の搬送方向に対してガイド部材（１８）の中央部に、除電針（３６ｂ）により構成された除電部材（３６）を配置して、転写材（１６）の除電を行う構成が記載されている。
【０００４】
特許文献３としての特許第４１０７９８６号公報には、転写ベルト（３１）の下流側に配置され且つ用紙（Ｐ）をガイドする用紙搬送ガイド（６）において、用紙（Ｐ）の搬送方向に対して用紙搬送ガイド（６）の下流端部に、除電針（８ａ）により構成された除電部材（８）を配置して、用紙（Ｐ）の除電を行う構成が記載されている。
【先行技術文献】
【特許文献】
【０００５】
【特許文献１】特許第３８２９９６５号公報（「００３１」〜「００５９」、図２〜図１８）
【特許文献２】特許第３８５０５９７号公報（図１〜図３、図５、図６）
【特許文献３】特許第４１０７９８６号公報（図１〜図５）
【発明の概要】
【発明が解決しようとする課題】
【０００６】
本発明は、媒体が転写搬送部材から帯状搬送部材に搬送される際に発生する画質低下を低減することを技術的課題とする。
【課題を解決するための手段】
【０００７】
前記技術的課題を解決するために、請求項１に記載の発明の画像形成装置は、
表面に媒体に転写される可視像を保持する像保持体と、
前記像保持体に対向して配置されて前記像保持体と対向する転写領域を通過する媒体に前記像保持体の可視像を転写する転写部材と、前記転写部材に対して前記媒体の搬送方向の下流側に配置された支持部材と、前記転写部材と前記支持部材との間に張架されて表面に前記媒体を保持して媒体搬送方向の下流側に搬送する無端帯状の転写搬送部材と、を有する転写搬送装置と、
前記転写搬送部材に対して前記媒体の搬送方向の下流側に配置されて、未定着の可視像が転写された媒体を表面に吸着した状態で保持して下流側に搬送する無端状の帯状搬送部材を有する下流側の搬送装置と、
前記転写搬送部材と前記帯状搬送部材との間に配置されて、通過する媒体の除電を行う除電部材と、
前記除電部材の上端よりも上方に配置された案内面を有し、前記転写搬送部材よりも媒体搬送方向の下流側且つ重力方向の下方に配置された案内部材であって、前記転写搬送部材から送られた媒体の搬送方向の前端から後部に渡って非接触、且つ、媒体の搬送方向の後端部に接触して媒体を案内する前記案内部材と、
前記下流側の搬送装置に対して前記媒体の搬送方向の下流側に配置されて、前記媒体表面の未定着の可視像を定着させる定着装置と、
を備えたことを特徴とする。
【０００８】
請求項２に記載の発明は、請求項１に記載の画像形成装置において、
弾性ベルトにより構成された前記無端状の転写搬送部材、
を備えたことを特徴とする。
【０００９】
請求項３に記載の発明は、請求項１または２に記載の画像形成装置において、
先端が前記媒体に対向して配置された鋸歯形状の前記除電部材、
を備えたことを特徴とする。
【００１０】
請求項４に記載の発明は、請求項１ないし３のいずれかに記載の画像形成装置において、
複数の導電性の毛を有する刷毛状の前記除電部材、
を備えたことを特徴とする。
【００１１】
請求項５に記載の発明は、請求項１ないし４のいずれかに記載の画像形成装置において、
接地された前記除電部材、
を備えたことを特徴とする。
【００１２】
請求項６に記載の発明は、請求項１ないし５のいずれかに記載の画像形成装置において、
前記媒体を除電させる除電用の電圧が印加された前記除電部材、
を備えたことを特徴とする。
【００１３】
前記技術的課題を解決するために、請求項７に記載の発明の画像形成装置は、
表面に媒体に転写される可視像を保持する像保持体と、
前記像保持体に対向して配置されて前記像保持体と対向する転写領域を通過する媒体に前記像保持体の可視像を転写する転写部材と、前記転写部材に対して前記媒体の搬送方向の下流側に配置された支持部材と、前記転写部材と前記支持部材との間に張架されて表面に前記媒体を保持して媒体搬送方向の下流側に搬送する無端帯状の転写搬送部材と、を有する転写搬送装置と、
前記転写搬送部材に対して前記媒体の搬送方向の下流側に配置されて、未定着の可視像が転写された媒体を表面に保持して下流側に搬送する無端状の帯状搬送部材を有する下流側の搬送装置と、
前記転写搬送部材と前記帯状搬送部材との間に配置されて、通過する媒体の除電を行う除電部材と、
前記除電部材の上端よりも上方に配置された第１の案内面を有し、前記除電部材と前記転写搬送部材との間に配置されて、前記転写搬送部材から送られた媒体の下面を案内可能な第１の案内部材と、
前記第１の案内面よりも下方且つ前記帯状搬送部材の上流端の高さよりも上方に配置された第２の案内面を有し、前記除電部材と前記帯状搬送部材との間且つ前記第１の案内部材よりも媒体の搬送方向の下流側に配置されて、媒体の下面を案内可能な第２の案内部材と、
前記下流側の搬送装置に対して前記媒体の搬送方向の下流側に配置されて、前記媒体表面の未定着の可視像を定着させる定着装置と、
を備えたことを特徴とする。
【００１４】
請求項８に記載の発明は、請求項７に記載の画像形成装置において、
前記除電部材の前記媒体側の先端が、前記第１の案内面と同一または媒体から離れる側の位置に配置されたことを特徴とする。
【００１５】
請求項９に記載の発明は、請求項７または８に記載の画像形成装置において、
前記転写搬送装置と前記下流側の搬送装置との間に跨った媒体の位置に対して、前記除電部材の前記媒体側の先端および前記第１の案内面が、同一または離れた位置に配置されたことを特徴とする。
【００１６】
請求項１０に記載の発明は、請求項１ないし９のいずれかに記載の画像形成装置において、
前記転写搬送部材が媒体を搬送する速度に比べて、媒体の搬送速度が高速に設定された前記帯状搬送部材、
を備えたことを特徴とする。
【００１７】
請求項１１に記載の発明は、請求項１ないし１０のいずれかに記載の画像形成装置において、
前記媒体の搬送方向に沿って配置された複数の前記帯状搬送部材を有する前記下流側の搬送装置と、
前記複数の帯状搬送部材どうしの間に配置されて、通過する媒体の除電を行う第２の除電部材と、
を備えたことを特徴とする。
【００１８】
請求項１２に記載の発明は、請求項１１に記載の画像形成装置において、
前記複数の帯状搬送部材の中で、媒体搬送方向の最上流に配置された帯状搬送部材の媒体の搬送速度が、前記転写搬送部材の媒体の搬送速度以上に設定され、且つ、
前記複数の帯状搬送部材の中で、媒体搬送方向の最下流に配置された帯状搬送部材の媒体の搬送速度が、前記転写搬送部材の媒体の搬送速度以下に設定された
ことを特徴とする。
【００１９】
請求項１３に記載の発明は、請求項１１または１２に記載の画像形成装置において、
前記複数の帯状搬送部材の中で媒体搬送方向の最上流に配置された帯状搬送部材と、前記転写搬送部材と、の間に配置され、先端が前記媒体に対向して配置された鋸歯形状の前記除電部材と、
前記複数の帯状搬送部材どうしの間に配置され、複数の導電性の毛を有する刷毛状の前記第２の除電部材と、
を備えたことを特徴とする。
【発明の効果】
【００２０】
請求項１、７に記載の発明によれば、転写搬送部材と帯状搬送部材との間に除電部材が配置されない構成に比べて、媒体が転写搬送部材から帯状搬送部材に搬送される際に発生する画質低下を低減することができる。また、請求項１に記載の発明によれば、媒体の後端部を案内部材で案内することができる。
請求項２に記載の発明によれば、放電ムラが発生しやすい弾性ベルトを使用しても、効率的に除電することができる。
請求項３に記載の発明によれば、鋸歯状の除電部材で除電を行うことができる。
請求項４に記載の発明によれば、刷毛状の除電部材で除電を行うことができる。
請求項５に記載の発明によれば、除電部材を接地しない場合に比べて、構成を簡素化でき、費用を節減できる。
【００２１】
請求項６に記載の発明によれば、除電用の電圧が印加されない場合に比べて、除電性能を制御することができる。
請求項７に記載の発明によれば、第２の案内面が第１の案内面よりも下方に配置されない場合に比べて、媒体が転写搬送部材から確実に剥離でき且つ次の帯状搬送部材に滑らかに着地することができ、媒体が帯状搬送部材に移動する際の衝撃を低減できる。
請求項８に記載の発明によれば、除電部材の先端が第１の案内面よりも突出している場合に比べて、除電部材の先端に媒体が引っ掛かることを低減できる。
請求項９に記載の発明によれば、跨った媒体の位置に対して第１の案内面および除電部材が突出する場合に比べて、第１の案内面および除電部材が媒体に接触して像乱れが発生することを低減できる。
【００２２】
請求項１０に記載の発明によれば、転写搬送部材と媒体との間で発生する摩擦帯電を除電部材で除電することができる。
請求項１１に記載の発明によれば、複数の除電部材を有しない場合に比べて、各帯状搬送部材における画質低下を低減することができる。
請求項１２に記載の発明によれば、複数の帯状搬送部材を介して媒体の搬送速度を減速できると共に、各帯状搬送部材と媒体との間で発生する摩擦帯電を複数の除電部材で除電することができる。
請求項１３に記載の発明によれば、最上流において除電性能の高い鋸歯形状の除電部材で除電でき、下流側では除電性能が鋸歯形状の除電部材よりも低い刷毛状の第２の除電部材で除電できることによって、除電部材通過時の急激な除電による画像乱れを起こすことなく、帯状搬送部材に媒体が着地するときや帯状搬送部材から媒体が剥離するときの画像乱れを防ぐことができる。
【図面の簡単な説明】
【００２３】
【図１】図１は本発明の実施例１の画像形成装置の全体説明図である。
【図２】図２は実施例１の転写領域から定着領域における搬送系の要部説明図である。
【図３】図３は実施例１の最上流の除電部材の要部説明図である。
【図４】図４は実施例１の転写搬送部材の下流側に隣接して配置された除電部材の説明図である。
【図５】図５は実施例１の吸着搬送ベルトどうしの間に配置された除電部材の説明図である。
【図６】図６は転写搬送ベルトにおける剥離放電の説明図であり、図６Ａはテンションラインの説明図、図６Ｂは剥離放電の説明図である。
【図７】図７は実施例１の画質劣化の説明図である。
【図８】図８は実施例１の実験結果の説明図であり、縦軸に用紙帯電量を取り、横軸に測定された位置を取ったグラフである。
【発明を実施するための形態】
【００２４】
次に図面を参照しながら、本発明の実施の形態の具体例（以下、実施例と記載する）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
なお、以下の図面を使用した説明において、理解の容易のために説明に必要な部材以外の図示は適宜省略されている。
【実施例１】
【００２５】
図１は本発明の実施例１の画像形成装置の全体説明図である。
図１において、画像形成装置Ｕは、操作部の一例としてのユーザインタフェースＵＩ、画像読取部の一例としてのスキャナ装置Ｕ１、給紙装置Ｕ２、画像形成装置本体Ｕ３、および用紙排出部Ｕ４を有している。
【００２６】
前記ユーザインタフェースＵＩは、入力部の一例としてのコピースタートキー、コピー枚数設定キー、テンキー等や、表示部の一例としての表示パネルＵＩ1を有している。
前記スキャナ装置Ｕ１は、図示しない原稿を読取って画像情報に変換し、画像形成装置本体Ｕ３に入力する。
給紙装置Ｕ２は、給紙部の一例としての複数の給紙トレイＴＲ１〜ＴＲ４と、前記各給紙トレイＴＲ１〜ＴＲ４に収容された媒体の一例としての記録用紙Ｓを取り出して画像形成装置本体Ｕ３に搬送する給紙路ＳＨ１と、を有する。
【００２７】
図１において、画像形成装置本体Ｕ３は、制御部の一例としてのコントローラＣや、前記制御部Ｃにより制御されて画像形成装置本体Ｕ３の各部材に給電する電源回路Ｅ等を有する。コントローラＣは、スキャナ装置Ｕ１で読み取られた原稿の画像情報や、画像形成装置Ｕに接続された図示しない情報送信装置の一例としてのパーソナルコンピュータから送信された画像情報が送信される。
前記コントローラＣは、受信した画像情報を、Ｙ：イエロー、Ｍ：マゼンタ、Ｃ：シアン、Ｋ：黒の印刷用の情報に処理して、潜像書込装置の駆動回路の一例としてのレーザ駆動回路Ｄに出力する。レーザ駆動回路Ｄは、コントローラＣから入力されたレーザ駆動信号を予め設定された時期に、各色の潜像形成装置ＲＯＳy，ＲＯＳm，ＲＯＳc，ＲＯＳkに出力する。
【００２８】
各潜像形成装置ＲＯＳｙ〜ＲＯＳｋの下方には、Ｙ，Ｍ，Ｃ，Ｋの像保持体ユニットＵｙ，Ｕｍ，Ｕｃ，Ｕｋが配置されている。
図１において、Ｋ：黒の像保持体ユニットＵｋは、像保持体の一例としての感光体ドラムＰｋと、帯電器の一例としてのコロトロンＣＣkと、像保持体用の清掃器の一例としての感光体クリーナＣＬｋとを有する。そして、他の色Ｙ，Ｍ，Ｃの像保持体ユニットＵｙ，Ｕｍ，Ｕｃも、感光体ドラムＰｙ，Ｐｍ，Ｐｃ、コロトロンＣＣy，ＣＣm，ＣＣc、感光体クリーナＣＬｙ，ＣＬｍ，ＣＬｃを有する。
なお、実施例１では、使用頻度の高く表面の磨耗が多いＫ色の感光体ドラムＰｋは、他の色の感光体ドラムＰｙ，Ｐｍ，Ｐｃに比べて大径に構成され、高速回転対応および長寿命化がされている。
【００２９】
感光体ドラムＰｙ，Ｐｍ，Ｐｃ，Ｐｋは、それぞれコロトロンＣＣy，ＣＣm，ＣＣc，ＣＣkにより一様に帯電された後、前記潜像形成装置ＲＯＳy，ＲＯＳm，ＲＯＳc，ＲＯＳkの出力する潜像書込光の一例としてのレーザビームＬｙ，Ｌｍ，Ｌｃ，Ｌｋにより、感光体ドラムＰｙ〜Ｐｋの表面に静電潜像が形成される。前記感光体ドラムＰｙ，Ｐｍ，Ｐｃ，Ｐｋの表面の静電潜像は、現像器Ｇｙ，Ｇｍ，Ｇｃ，Ｇｋに設けられた現像部材の一例としての現像ロールＲ０により、Ｙ：イエロー、Ｍ：マゼンタ、Ｃ：シアン、Ｋ：黒の各色の現像剤で可視像の一例としてのトナー像に現像される。
【００３０】
感光体ドラムＰｙ，Ｐｍ，Ｐｃ，Ｐｋ表面上のトナー像は、一次転写器の一例としての１次転写ロールＴ１y，Ｔ１m，Ｔ１c，Ｔ１kにより、一次転写領域Ｑ３において、中間転写体の一例であって、像保持体の一例としての中間転写ベルトＢ上に順次重ねて転写され、中間転写ベルトＢ上に多色画像、いわゆる、カラー画像が形成される。中間転写ベルトＢ上に形成されたカラー画像は、２次転写領域Ｑ４に搬送される。
なお、黒画像データのみの場合はＫ：黒の感光体ドラムＰｋおよび現像器Ｇｋのみが使用され、黒のトナー像のみが形成される。
１次転写後、感光体ドラムＰｙ，Ｐｍ，Ｐｃ，Ｐｋの表面に残留した残留トナーは感光体ドラム用のクリーナＣＬｙ，ＣＬｍ，ＣＬｃ，ＣＬｋによりクリーニングされる。
前記各像保持体ユニットＵｙ，Ｕｍ，Ｕｃ，Ｕｋと現像装置の一例としての現像器Ｇｙ，Ｇｍ，Ｇｃ，Ｇｋとにより、可視像形成部の一例としてのトナー像形成部材Ｕｙ＋Ｇｙ，Ｕｍ＋Ｇｍ，Ｕｃ＋Ｇｃ，Ｕｋ＋Ｇｋが構成されている。
【００３１】
画像形成装置本体Ｕ３の上部には、補給装置の一例としてのトナーディスペンサーＵ３ａが配置されており、トナーディスペンサーＵ３ａには、現像剤の収容容器の一例としてのトナーカートリッジＫｙ，Ｋｍ，Ｋｃ，Ｋｋが着脱可能に装着されている。画像形成に伴って現像器Ｇｙ〜Ｇｋにおいてトナーが消費されると、各トナーカートリッジＫｙ〜Ｋｋから各現像器Ｇｙ〜Ｇｋにトナーが供給される。
【００３２】
前記感光体ドラムＰｙ〜Ｐｋの下方に配置された中間転写ベルトＢは、中間転写体の駆動部材の一例としてのベルト駆動ロールＲｄと、張力付与部材の一例としてのテンションロールＲｔと、蛇行防止部材の一例としてのウォーキングロールＲｗと、従動部材の一例としての複数のアイドラロールＲｆと、二次転写領域の対向部材の一例としてのバックアップロールＴ２aと、により張架されている。そして、前記中間転写ベルトＢは、ベルト駆動ロールＲｄの駆動により矢印Ｙａ方向に回転移動可能に支持されている。
前記ベルト駆動ロールＲｄ、テンションロールＲｔ、ウォーキングロールＲｗ，アイドラロールＲｆ、バックアップロールＴ２ａにより、実施例１の中間転写体の支持部材の一例としてのベルト支持ロールＲｄ＋Ｒｔ＋Ｒｗ＋Ｒｆ＋Ｔ２aが構成されている。また、前記中間転写ベルトＢやベルト支持ロールＲｄ＋Ｒｔ＋Ｒｗ＋Ｒｆ＋Ｔ２a、１次転写ロールＴ１ｙ〜Ｔ１ｋにより、中間転写装置の一例としてのベルトモジュールＢＭが構成されている。なお、実施例１のベルトモジュールＢＭは、画像形成装置の本体Ｕ３に対して、着脱、交換が可能なユニットにより構成されている。
【００３３】
前記バックアップロールＴ２aの下方には、転写搬送装置の一例としての２次転写ユニットＵｔが配置されている。２次転写ユニットＵｔは、２次転写部材の一例として、バックアップロールＴ２ａに対向して配置された２次転写ロールＴ２ｂを有し、２次転写ロールＴ２bが中間転写ベルトＢと対向する領域により２次転写領域Ｑ４が構成されている。また、前記バックアップロールＴ２aには、電圧印加用の接触部材の一例としてのコンタクトロールＴ２cが接触しており、前記ロールＴ２a〜Ｔ２cにより２次転写器Ｔ２が構成されている。
前記コンタクトロールＴ２cには、コントローラＣにより制御される電源回路Ｅから予め設定された時期に、トナーの帯電極性と同極性の２次転写電圧が印加される。
【００３４】
前記ベルトモジュールＢＭ下方には用紙搬送路ＳＨ２が配置されている。前記給紙装置Ｕ２の給紙路ＳＨ１から給紙された記録用紙Ｓは、前記用紙搬送路ＳＨ２に搬送され、給紙時期の調節部材の一例としてのレジロールＲｒにより、トナー像が２次転写領域Ｑ４に搬送されるのに時期を合わせて送り出され、媒体案内部材の一例としての転写前ガイドＳＧ１に案内されて、２次転写領域Ｑ４に搬送される。
前記中間転写ベルトＢ上のトナー像は、前記２次転写領域Ｑ４を通過する際に、前記２次転写器Ｔ２により記録用紙Ｓに転写される。なお、カラー画像の場合は中間転写ベルトＢ表面に重ねて１次転写されたトナー像が一括して記録用紙Ｓに２次転写される。
【００３５】
２次転写後の前記中間転写ベルトＢは、中間転写体の清掃器の一例としてのベルトクリーナＣＬＢにより清掃、すなわち、クリーニングされる。なお、前記２次転写ロールＴ２ｂは、中間転写ベルトＢと離隔および接触可能に支持されている。
前記１次転写ロールＴ１ｙ，Ｔ１ｍ，Ｔ１ｃ，Ｔ１ｋ、中間転写ベルトＢ、二次転写器Ｔ２、ベルトクリーナＣＬＢ等により、感光体ドラムＰｙ〜Ｐｋ表面の画像を記録用紙Ｓに転写する転写装置Ｔ１＋Ｂ＋Ｔ２＋ＣＬＢが構成されている。
【００３６】
トナー像が２次転写された前記記録用紙Ｓは、下流側の搬送装置の一例としての搬送ベルトＢＨにより、下流の用紙排出部Ｕ４内に配置された定着装置Ｆに搬送される。前記定着装置Ｆは、加熱定着部材の一例としての加熱ロールＦｈと、加圧定着部材の一例としての加圧ロールＦｐとを有し、加熱ロールＦｈと加圧ロールＦｐとが接触する領域により定着領域Ｑ５が形成されている。
前記記録用紙Ｓ上のトナー像は定着領域Ｑ５を通過する際に定着装置Ｆにより加熱定着される。定着装置Ｆでトナー像が定着された記録用紙Ｓは、排出部の一例としての排出トレイＴＲｈに排出される。
前記符号ＳＨ１、ＳＨ２等により用紙搬送路ＳＨが構成されている。また、前記符号ＳＨ，Ｒａ，Ｒｒ，ＳＧr，ＢＨ等により用紙搬送装置ＳＵが構成されている。
【００３７】
（転写−定着間の搬送系の説明）
図２は実施例１の転写領域から定着領域における搬送系の要部説明図である。
図１、図２において、実施例１の２次転写ロールＴ２ｂの用紙搬送方向の下流側には、支持部材の一例としての転写ベルト支持ロール１が配置されており、２次転写ロールＴ２ｂと転写ベルト支持ロール１との間には、転写搬送部材の一例として、無端帯状の転写搬送ベルト２が張架された状態で支持されている。転写搬送ベルト２は、各ロールＴ２ｂ，１の回転に伴って、転写領域Ｑ４を通過した記録用紙Ｓを表面に保持して下流側に向けて搬送する。
実施例１の転写搬送ベルト２は、一例として、厚さ０．５ｍｍの絶縁性のクロロプレンゴムにより構成されている。また、実施例１では、２次転写ロールＴ２ｂは、直径が２８ｍｍのスポンジ状のロールにより構成されており、転写ベルト支持ロール１は、直径１５ｍｍのロールにより構成されている。なお、各部材の材料やサイズは、例示した材料や数値等に限定されず、設計や仕様等に応じて任意に変更可能である。
前記２次転写ロールＴ２ｂや転写ベルト支持ロール１、転写搬送ベルト２等により、実施例１の転写搬送装置Ｔ２ｂ＋１＋２が構成されている。
【００３８】
転写搬送ベルト２の下流側には、第１の媒体搬送部材の一例としての第１の吸着搬送部材６が配置されている。第１の吸着搬送部材６は、帯状部材の支持体の一例として、前後方向に延びる左右一対の第１のベルト支持ロール６ａ，６ｂと、吸着ベルト支持ロール６ａ，６ｂ間に張架された帯状搬送部材の一例としての第１の吸着搬送ベルト６ｃと、を有する。前記吸着搬送ベルト６ｃには、複数の孔が形成されると共に、図示しない吸引装置の一例としてのファンが孔を通じて空気を吸引しており、吸着搬送ベルト６ｃの表面に記録用紙Ｓが吸着された状態で搬送される。なお、このような吸着搬送ベルト６ｃの構成は、例えば、特開２００４−３４７８８０号公報等に記載されており、従来公知であるため、詳細な説明は省略する。
【００３９】
前記第１の吸着搬送部材６の下流側には、用紙搬送方向に沿って、第２の媒体搬送部材の一例としての第２の吸着搬送部材７、第３の媒体搬送部材の一例としての第３の吸着搬送部材８、第４の媒体搬送部材の一例としての第４の吸着搬送部材９が配置されている。なお、第２の吸着搬送部材７〜第４の吸着搬送部材９は、第１の吸着搬送部材６と同様に構成されているため、詳細な説明は省略する。
前記各吸着搬送部材６〜９により、実施例１の下流側の搬送装置６〜９が構成されている。
【００４０】
なお、実施例１では、転写搬送ベルト２による記録用紙Ｓの搬送速度Ｖ０と、第１の吸着搬送部材６による記録用紙Ｓの搬送速度Ｖ１と、第２の吸着搬送部材７による記録用紙Ｓの搬送速度Ｖ２と、第３の吸着搬送部材８による記録用紙Ｓの搬送速度Ｖ３と、第４の吸着搬送部材９による記録用紙Ｓの搬送速度Ｖ４と、定着装置Ｆによる記録用紙Ｓの搬送測度Ｖ５は、以下のように設定される。
実施例１では、記録用紙Ｓが普通紙等の場合には、一例として、以下の式（１）、（２）を満足するように設定される。
Ｖ１＝Ｖ２＝Ｖ３＝Ｖ４＝１．０５×Ｖ０  …式（１）
Ｖ５＝Ｖ０                              …式（２）
したがって、普通紙等の場合には、転写搬送ベルト２と第１の吸着搬送部材６との間に速度差が５％発生し、記録用紙Ｓが下流側に引っ張られながら受け渡されるため、用紙の姿勢が安定し、後述するデタックソー１３による除電も安定して行うことができる。
【００４１】
記録用紙Ｓが厚紙等の定着性を向上させるために定着装置Ｆの搬送速度Ｖ５を低下させる必要がある場合には、一例として、以下の式（３）〜（５）を満足するように設定される。
Ｖ１≧Ｖ２≧Ｖ３≧Ｖ４≧Ｖ５  …式（３）
Ｖ１＝１．０５×Ｖ０          …式（４）
Ｖ５＝０．５×Ｖ０            …式（５）
なお、各吸着搬送部材６〜９は、記録用紙Ｓが上流側から受け渡されると、下流側の吸着搬送部材７〜９に前端が差し掛かる前に、下流側の吸着搬送部材７〜９の搬送速度Ｖ２〜Ｖ４に減速される。例えば、第１の吸着搬送部材６と第２の吸着搬送部材７とに記録用紙Ｓが保持されると、第１の吸着搬送部材６と第２の吸着搬送部材７の搬送速度がＶ２から、第３の吸着搬送部材８の搬送速度Ｖ３まで減速された後、第３の吸着搬送部材８に受け渡される。したがって、吸着搬送部材６〜９の間で受け渡される際に、跨った記録用紙にたるみが生じないように設定されている。
【００４２】
図３は実施例１の最上流の除電部材の要部説明図である。
図１〜図３において、前記転写搬送ベルト２と最上流の第１の吸着搬送部材６との間には、案内部材の一例として、転写後シュート１１が配置されている。転写後シュート１１は、第１の案内部材の一例として、転写ベルト支持ロール１の右斜め下方に配置され且つ前後方向に延びる板状の上流ガイド部１２を有する。上流ガイド１２部の上端には、第１の案内面の一例として、右斜め下方に傾斜する上流ガイド面１２ａを有する。図３において、転写搬送ベルト２で送られる記録用紙Ｓの前端が第１の吸着搬送ベルト６ｃに接触する位置を通過する転写ベルト支持ロール１の接線である図３の破線で示す仮想線Ｌ１に対して、実施例１の上流ガイド面１２ａの上端は、下方に配置されており、転写搬送ベルト２から送り出された記録用紙Ｓの前端が上流ガイド部１２に引っ掛かって詰まらないように設定されている。また、仮想線Ｌ１よりも下方に上流ガイド面１２ａが配置されているため、記録用紙Ｓの搬送方向の前端から後部に渡って、上流ガイド面１２ａは記録用紙Ｓに接触しない状態となり、記録用紙Ｓの後端が転写搬送ベルト２を通過すると、記録用紙Ｓの後端部を案内する。
【００４３】
図４は実施例１の転写搬送部材の下流側に隣接して配置された除電部材の説明図である。
前記上流ガイド部１２の右側面１２ｂには、除電部材の一例としてのデタックソー１３が支持されている。実施例１のデタックソー１３は、前後方向に延びる板状の部材の上端に鋸歯状の尖端部が形成された形状に形成されており、導電性の金属製の材料により構成されている。実施例１のデタックソー１３は、図示しない電気的な接続経路を介して、接地、すなわちアースされている。
また、実施例１のデタックソー１３は、上端が、上流ガイド部１２の右側面１２ｂの上端に対して０．１ｍｍ低い位置に配置されており、上方を通過する記録用紙Ｓに対して、非接触の状態が保持されると共に、記録用紙Ｓが鋸歯状の尖端部に引っ掛かって詰まることが低減されている。したがって、デタックソー１３の上端の位置は、上流ガイド部１２の右側面１２ｂの上端に対して、同一または低い位置に配置することが好ましく、前述した数値に限定されない。
【００４４】
さらに、前記デタックソー１３の上端は、仮想線Ｌ１に対して、アースしている場合には０．１ｍｍ〜５ｍｍ下方の位置に配置することが好ましく、除電用の電圧が印加される場合には０．１〜７ｍｍ下方の位置に配置することが好ましい。デタックソー１３の上端と仮想線Ｌ１との間隔が下限を下回る、すなわち、デタックソー１３の上端と仮想線Ｌ１とが近づきすぎると、用紙の引っかかりが発生し、上限を超える、すなわち、デタックソー１３の上端と仮想線Ｌ１とが離れすぎると用紙の除電量が不足して所望の効果が得られない。
また、デタックソー１３の上端の用紙搬送方向に対する位置は、転写搬送ベルト２の外表面に対して、２ｍｍ〜４ｍｍの間隔をあけて配置することが好ましい。間隔が狭すぎるとデタックソー１３と転写搬送ベルト２との間でリークが発生する問題または転写搬送ベルトと上流ガイド部１２の左側面が部品ばらつきによっては接触してしまう問題がある。一方、間隔を広くして、姿勢が安定した後の記録用紙Ｓにデタックソー１３が対向することが好ましいが、間隔を広げすぎると、記録用紙Ｓがデタックソー１３に到達する前に上流ガイド部１２などの他の部材によって像乱れを発生させてしまう恐れがあるため、広げすぎないことが好ましい。
【００４５】
前記デタックソー１３の右側には、第２の案内部材の一例として、前後方向に延びる板状の下流ガイド部１４が配置されている。下流ガイド部１４の上端には、第２の案内面の一例として、右斜め下方に傾斜する下流ガイド面１４ａが形成されている。実施例１の下流ガイド面１４ａの上端である左上の上流端は、上流ガイド面１２ａよりも下方に配置されており、上流ガイド面１２ａに対して、段差を持って配置されている。また、下流ガイド面１４ａの下端である右下の下流端は、下流側の第１の吸着搬送ベルト６ｃの上面よりも上方に配置されている。
したがって、実施例１の転写後シュート１１では、転写搬送ベルト２から送り出された記録用紙Ｓの後端は、上流ガイド面１２ａの高さから第１の吸着搬送部材６に直接落下せず、下流ガイド面１４ａで一度案内される。したがって、記録用紙Ｓの後端の急落下が低減されて、落下時の衝撃で未定着のトナー像が乱れる画質劣化が低減されつつ、デタックソー１３の上端が可能な限り記録用紙Ｓに非接触且つ接近して除電効率が高まるように配置されている。
【００４６】
図５は実施例１の吸着搬送ベルトどうしの間に配置された除電部材の説明図である。
図２において、各吸着搬送部材６〜９どうしの間には、それぞれ、搬送部材間の案内部材の一例としてのベルト間ガイド１６が配置されている。図２、図５において、実施例１のベルト間ガイド１６は、前後方向に延びる板状に形成されており、上面には、案内面の一例として、記録用紙Ｓの下面を案内するガイド面１６ａが形成されている。また、ガイド面１６ａの上流側には、上流側に行くに連れて下方に傾斜して、上流側から搬送されてくる記録用紙Ｓが引っ掛かったり詰まったりしないようにガイドする上流ガイド面１６ｂが形成されている。
【００４７】
前記ベルト間ガイド１６の下面には、第２の除電部材の一例として、刷毛状の除電ブラシ１７が配置されている。前記除電ブラシ１７は、基部の一例として、前記ベルト間ガイド１６に支持される板部１７ａと、除電部材の本体の一例として、板部１７ａに支持された複数の毛により構成されたブラシ本体１７ｂとを有する。
実施例１の板部１７ａおよびブラシ本体１７ｂは、共に導電性の材料により構成されており、板部１７ａは接地されている。また、実施例１のブラシ本体１７ｂは、ベルト間ガイド１６の下流端よりも下流側に突出して配置されており、ベルト間ガイド１６のガイド面１６ａを案内されながら搬送される記録用紙Ｓに対して、非接触且つ近接した状態で配置される。
【００４８】
（実施例１の作用）
前記構成を備えた実施例１の画像形成装置Ｕでは、感光体ドラムＰｙ〜Ｐｋで形成されたトナー像は、中間転写ベルトＢを介して、２次転写領域Ｑ４において、記録用紙Ｓに転写される。未定着のトナー像が転写された記録用紙Ｓは、転写搬送ベルト２の表面に保持されて下流側に向けて搬送される。
したがって、実施例１の転写搬送ベルト２では、直径の異なる２つのロールＴ２ｂ，１に張架されていて、各ロールＴ２ｂ，１に巻き付く際の転写搬送ベルトＢが曲率が異なっており、転写搬送ベルト２を使用せず、２次転写ロールＴ２ｂのみで２次転写および搬送を行う構成に比べて、曲率差を利用して記録用紙Ｓが剥離しやすくなっている。また、転写搬送ベルト２を使用せず、２次転写ロールＴ２ｂのみで２次転写および搬送を行う構成に比べて、転写搬送ベルト２に面で保持される実施例１の構成では、用紙走行性が安定しやすくなっている。
【００４９】
記録用紙Ｓは、２次転写領域Ｑ４を通過する際に、トナー像を転写する２次転写電圧を受け、電荷を帯びた状態となる上に、記録用紙Ｓが転写搬送ベルト２から剥離する際に、剥離帯電が発生して、記録用紙Ｓの帯電電荷が上昇する。
特に、実施例１では、転写搬送ベルト２の搬送速度Ｖ０に対して、下流側の第１の吸着搬送ベルト６ｃの搬送速度Ｖ１の方が高速に設定されており、第１の吸着搬送ベルト６ｃに記録用紙Ｓの前端が吸着されて、搬送速度Ｖ１で記録用紙Ｓが搬送され始めると、高速の記録用紙Ｓと低速の転写搬送ベルト２との間で摺擦が発生する。したがって、記録用紙Ｓが摩擦帯電して、帯電電荷が上昇する。
【００５０】
図６は転写搬送ベルトにおける剥離放電の説明図であり、図６Ａはテンションラインの説明図、図６Ｂは剥離放電の説明図である。
また、図６において、転写搬送ベルト２のような無端帯状の部材が、２次転写ロールＴ２ｂと転写ベルト支持ロール１の間に張架された状態で回転する場合、転写搬送ベルト２が各ロールＴ２ｂ、１に巻き付く際のベルトの内表面と外表面との経路差や、ロール間の平行度のずれ等に伴って、転写搬送ベルト２に波打ち状のシワ、いわゆるテンションライン２１が発生することがある。特に、画像形成装置Ｕが小型化されて、転写搬送ベルト２として、周長の短い弾性ベルトを使用した場合に、顕著に発生しやすくなる。
テンションライン２１が発生した状態では、図６Ｂに示すように記録用紙Ｓと転写搬送ベルト２の表面との間に微小な隙間２２が発生する。そして、微小な隙間２２では帯電した記録用紙Ｓと転写搬送ベルト２との間の距離が短く、放電が発生しやすくなっている。特に、前記微小な隙間２２は、記録用紙Ｓの幅方向に対して、ばらついた状態で発生し、記録用紙Ｓにおいて、放電が発生する場所にムラが発生しやすくなっている。
【００５１】
図７は実施例１の画質劣化の説明図である。
特許文献１〜３記載の従来の画像形成装置のように、転写搬送ベルト２と第１の吸着搬送ベルト６ｃとの間に除電部材が配置されていない構成では、記録用紙Ｓが第１の吸着搬送ベルト６ｃに着地する際に、図７に示すように、電界が乱れてしまい、未定着のトナー像２６、特に、上層の吸着力の弱いトナー２７が飛び散ってしまい、像乱れや白筋等の画質劣化が生じる恐れがある。特に、記録用紙Ｓの前端において、トナー２７の飛び散りが発生すると、余白部分がトナーで汚れてしまい、画質劣化が目立ちやすい問題もある。さらに、テンションライン２１での放電に伴って、電荷の分布にムラが発生している場合、いわゆるハーフトーンの画像等では、白筋が目立ちやすくなる。
【００５２】
これらに対して、実施例１の画像形成装置Ｕでは、転写搬送ベルト２と第１の吸着搬送ベルト６ｃとの間に、デタックソー１３が配置されており、転写搬送ベルト２で剥離帯電が発生した後、第１の吸着搬送ベルト６ｃに着地する前に、除電が行われる。したがって、除電部材を配置しない従来の構成に比べて、トナー２７の飛び散りが発生しにくく、画質劣化が低減されている。
特に、実施例１のデタックソー１３は、非接触状態で、避雷針のように記録用紙Ｓとの間で放電させることで除電を行っており、高速で記録用紙Ｓが通過する場合でも、導電性の除電部材を記録用紙Ｓに接触させて除電させる場合に比べて、除電効率が高くなっている。
【００５３】
また、実施例１の画像形成装置Ｕでは、転写搬送ベルト２の下流側に配置された各吸着搬送装置６〜９において、各吸着搬送ベルト６ｃ〜９ｃから記録用紙Ｓが離れる際にも、剥離帯電が発生する。
これらに対して、実施例１では、各吸着搬送ベルト６ｃ〜９ｃの間に、除電ブラシ１７が配置されており、記録用紙Ｓの除電が逐次行われ、未定着のトナーが飛び散って画質が低下することが低減されている。
【００５４】
特に、実施例１では、吸着搬送装置６〜９において、記録用紙Ｓとして厚紙等が使用される場合に、搬送速度Ｖ１〜Ｖ４が順次遅くなるように設定されており、記録用紙Ｓの搬送速度が、２次転写領域Ｑ４に対して定着領域Ｑ５で低下する構成となっている。
ここで、前述のように、下流側の吸着搬送部材６〜９に受け渡される前に、記録用紙Ｓを保持した吸着搬送部材６〜９が減速され、跨った記録用紙にたるみが生じないように設定されているが、個体差や僅かなタイミングのずれが発生すると、速度差による摩擦帯電が生じてしまうことがある。これによって、吸着搬送ベルト間の受け渡し時に、記録用紙の帯電による画像の乱れが発生しやすくなってしまう。これは下流の吸着搬送ベルト７〜９にいくほど記録用紙Ｓが摩擦帯電を受ける機会が増えるため、画像乱れも発生しやすくなる。
これに対して、実施例１では、各吸着搬送ベルト６ｃ〜９ｃの間に、除電ブラシ１７が配置されており、記録用紙Ｓの除電が逐次行われ、未定着のトナーが飛び散って画質が低下することが低減されている。
【００５５】
（実験例）
図８は実施例１の実験結果の説明図であり、縦軸に用紙帯電量を取り、横軸に測定された位置を取ったグラフである。
次に、実施例１の構成を使用して、記録用紙Ｓの除電に関する実験を行った。実験は、富士ゼロックス株式会社製のDocuColor 8000AP Digital Pressを改造して行い、温度１０℃、湿度１５％ＲＨの静電気の発生しやすい低温低湿環境において行った。記録用紙Ｓとして、Ａ３サイズの富士ゼロックス社製Ｊ紙、用紙坪量８２ｇ／ｍ２を使用し、画像として階調パターンを１０枚印刷した。そして、記録用紙Ｓが１０枚走行した場合において、デタックソー１３や各除電ブラシ１７への流入電流を微少電流計：ケースレーインスツルメンツ株式会社製エレクトロメータで測定した。実験結果を図８に示す
【００５６】
（実験結果）
図８において、デタックソー１３で除電前の状態では、用紙帯電量Ｑが１７．５［μＣ］であったのが、デタックソー１３の通過で、１３［μＣ］に低下、除電され、各除電ブラシ１７の通過に伴って、順に、１１［μＣ］、１０［μＣ］、９［μＣ］に帯電量Ｑが低下している。
ここで、実験例の第１の吸着搬送ベルト６ｃに着地する際に、用紙帯電量Ｑが１０〜１４［μＣ］の範囲内では画質劣化が発生せず、１４［μＣ］よりも大きい場合には前述の飛び散りが発生すると共に、１０［μＣ］未満の場合には記録用紙Ｓの除電しすぎでトナーを吸着する電荷が不足して、像乱れが発生した。同様に、各第２〜第４の吸着搬送ベルト７ｃ〜９ｃでは、帯電量Ｑが１２［μＣ］、１２［μＣ］、１０［μＣ］より大きい場合に画質劣化が発生した。
これに応じて、実験例では、４つの除電部材の中で最上流に除電性能が高いデタックソー１３が配置され、下流側にデタックソー１３よりも除電性能が低い除電ブラシ１７が配置され、画質劣化の発生が抑制されている。すなわち、最上流に配置された接地されたデタックソー１３が、除電不足および過剰な除電を低減しており、下流側の除電ブラシ１７が、下流側の吸着搬送ベルト７ｃ〜９ｃにおける除電不足を低減して、像乱れを低減している。また、実験例では、接地された除電部材１３，１７を使用しており、電圧を印加する構成に比べて、構成が簡素化され、費用が節減されている。
【００５７】
（変更例）
以上、本発明の実施例を詳述したが、本発明は、前記実施例に限定されるものではなく、特許請求の範囲に記載された本発明の要旨の範囲で、種々の変更を行うことが可能である。本発明の変更例（Ｈ01）〜（Ｈ09）を下記に例示する。
（Ｈ01）前記各実施例において、画像形成装置の一例として複写機Ｕを例示したが、これに限定されず、プリンタ、ＦＡＸ、あるいはこれら複数の機能を備えた複合機等に適用可能である。また、多色の画像形成装置に限定されず、単色の画像形成装置にも適用可能である。
（Ｈ02）前記実施例において、像保持体の一例であって、中間転写体の一例としての中間転写ベルトＢを備える構成を例示したが、これに限定されず、中間転写ドラム等の中間転写体を有する構成としたり、中間転写体が設けられておらず、像保持体の一例としての感光体ドラムから直接記録用紙に転写する構成にも適用可能である。
【００５８】
（Ｈ03）前記実施例において、下流側の搬送装置の一例として、吸着搬送装置６〜９は４つ設ける構成を例示したが、これに限定されず、３つ以下や５つ以上とすることも可能である。
（Ｈ04）前記実施例において、下流側の搬送装置の一例として、記録用紙Ｓを吸着して搬送する構成を例示したが、これに限定されず、吸着する構成を省略することも可能である。
（Ｈ05）前記実施例において、転写搬送ベルト２や吸着搬送ベルト６ｃ〜９ｃの搬送速度Ｖ０〜Ｖ４は実施例に例示した関係に限定されず、設計や仕様等に応じて任意に変更可能である。
【００５９】
（Ｈ06）前記実施例において、除電部材の一例としてのデタックソー１３や除電ブラシ１７を、接地する構成を例示したが、これに限定されず、除電用の電圧を印加する構成として除電部材の除電能力を向上または制限するようにして除電性能を制御したり、コンデンサと同様の結合状態、いわゆるフローティング状態とする等の構成を採用することも可能である。したがって、例えば、電圧を印加した除電ブラシを採用し、実施例１のデタックソー１３と同様の除電性能を有する状態として、デタックソー１３に替えて除電ブラシを使用する等の変更も可能である。
（Ｈ07）前記実施例において、除電部材として、鋸歯状のデタックソー１３や刷毛状の除電ブラシを例示したが、これに限定されず、例えば、櫛歯状や導電性不織布等、除電可能な任意の構成を採用可能である。
【００６０】
（Ｈ08）前記実施例において、転写後シュート１１の形状や位置等は、実施例に例示した構成に限定されず、設計や仕様等に応じて任意に変更可能である。特に、上流ガイド部１２と下流ガイド部１４とで段差を設けることが望ましいが、段差を省略することも可能である。
（Ｈ09）前記実施例において、転写搬送ベルト２および吸着搬送ベルト６ｃ〜９ｃの間の全てに除電部材１３，１７を配置する構成が望ましいが、これに限定されず、除電部材を配置しなくても画質低下が発生しない場合には、除電部材１３，１７を省略することが可能である。例えば、第１の吸着搬送ベルト６ｃと第２の吸着搬送ベルト７ｃとの間に除電ブラシ１７を配置し、第２の吸着搬送ベルト７ｃと第３の吸着搬送ベルト８ｃとの間には除電ブラシ１７を配置せず、第３の吸着搬送ベルト８ｃと第４の吸着搬送ベルト９ｃとの間には除電ブラシ１７を配置するといった構成とすることも可能である。
【符号の説明】
【００６１】
１…支持部材、
２…転写搬送部材、
６〜９…下流側の搬送装置、
６ｃ，７ｃ，８ｃ，９ｃ…帯状搬送部材、
１２…第１の案内部材、
１２ａ…第１の案内面、
１３，１７…除電部材、
１４…第２の案内部材、
１４ａ…第２の案内面、
１７…第２の除電部材、
Ｂ…像保持体、
Ｆ…定着装置、
Ｑ４…転写領域、
Ｓ…媒体、
Ｔ２ｂ…転写部材、
Ｔ２ｂ＋１＋２…転写搬送装置、
Ｕ…画像形成装置、
Ｖ０，Ｖ１，Ｖ２，Ｖ３，Ｖ４…搬送速度。
【図１】
0005605209.tif 000002
【図２】
0005605209.tif 000003
【図３】
0005605209.tif 000004
【図４】
0005605209.tif 000005
【図５】
0005605209.tif 000006
【図６】
0005605209.tif 000007
【図７】
0005605209.tif 000008
【図８】
0005605209.tif 000009